(57)【要約】    【課題】病室の内外を問わずして患者に携帯通話を携行させることにより、迅速な呼び出し、通話を可能とするとともに、当該システムの配線を簡素化させて施工性を高める。    【解決手段】病室の内外を問わずして患者により携行される携帯端末２ａ、２ｂ、・・・との間で無線通信が可能な基地局４ａ、４ｂ、・・・を交換機５を介してナースコール親機１に有線接続する。また、交換機に患者情報記憶手段５０、ＩＤ比較手段５１、送信手段５２を備えることにより、送信手段から送信された呼出元の患者に関する患者情報および呼出元の携帯端末からの無線呼出信号を受信した当該基地局を示す基地局情報がナースコール親機の表示手段１１に表示される。    【選択図】図１
2005210173.tif 000002
【特許請求の範囲】
【請求項１】
ナースステーション内に設置されるナースコール親機（１）と、患者が携行し看護師を呼び出すための携帯端末（２ａ、２ｂ、・・・）と、前記携帯端末からの携帯端末ＩＤを含む無線呼出信号を受信するための基地局（４ａ、４ｂ、・・・）と、前記基地局に接続され通話路を形成するための交換機（５）とから構成され、
前記携帯端末の携帯端末ＩＤおよび前記携帯端末ＩＤに対応した患者情報を記憶するための患者情報記憶手段（５０）と、前記携帯端末から送信された携帯端末ＩＤを含む無線呼出信号と前記患者情報記憶手段に記憶された携帯端末ＩＤとを比較するためのＩＤ比較手段（５１）と、前記ＩＤ比較手段にて一致したとき前記携帯端末ＩＤに対応する患者情報および前記無線呼出信号を受信した前記基地局の基地局情報を前記ナースコール親機へ送信するための送信手段（５２）とを備え、
前記ナースコール親機は、前記送信手段により送信された前記患者情報および基地局情報を表示するための表示手段（１１）を備えたことを特徴とするナースコールシステム。
【請求項２】
前記交換機は、前記患者情報記憶手段と、前記ＩＤ比較手段と、前記送信手段とを有することを特徴とする請求項１記載のナースコールシステム。
【発明の詳細な説明】
【技術分野】
【０００１】
本発明はナースコールシステムに係り、特に、呼び出し、通話を行う患者に携帯端末を携行させたナースコールシステムに関する。
【背景技術】
【０００２】
従来から、この種のナースコールシステムとして、病院等の施設内に設置、例えば、病室内の病床毎に設置されたナースコール子機にて、通常のナースコール呼び出し、緊急を用する緊急呼び出し、トイレ呼び出し等のように呼出種別毎で異なる呼出操作を患者が行うと、呼出元のナースコール子機に廊下灯、制御機を介して有線接続されたナースステーション内に設置されるナースコール親機と、上述の制御機に交換機を介して有線接続された基地局より当該基地局との間で無線通信が可能な複数の携帯端末のうち、呼出元の患者を担当するチームに対応した病院内を巡回中の看護師や医師等（以下、巡回看護師という。）により携行された携帯端末とが呼出報知するナースコールシステムが提案されている（例えば、非特許文献１を参照）。
【０００３】
従来例のナースコールシステムにおいて、ナースコール親機では、ナースコール子機からの呼び出しを呼出種別毎で異なるパターンの呼出音の放音および呼出表示灯の点滅表示／点灯表示で呼出報知する。一方、呼出元の患者を担当するチーム毎の携帯端末では、ナースコール子機からの呼び出しが担当するチームの患者であり呼出種別毎で異なるパターンの呼出音の放音および呼出種別情報を示す表示で呼出報知する。また、上述の呼出報知を確認したナースステーション内に在室中の看護師（以下、在室看護師という。）および巡回看護師のうち最先に応答した看護師が呼出元の患者との間で通話を成立させることができる。
【０００４】
【非特許文献１】アイホン総合カタログ２００３／２００４年版（３９６頁〜４０８頁等）
【発明の開示】
【発明が解決しようとする課題】
【０００５】
しかしながら、従来例のナースコールシステムによれば、ナースコール子機とナースコール親機との間の通信ラインが当該ナースコール子機から廊下灯、制御機を介した有線による通信ラインであり、また、ナースコール子機と携帯端末との間の通信ラインを形成するにあたっても、当該ナースコール子機から基地局までの通信ラインが廊下灯、制御機を介した有線による通信ラインであることから、病床数が多い大規模な病院等に当該ナースコールシステムを設置すると、施工時の配線に煩雑さを有するばかりでなく、ナースコール子機を患者が携行できないため、近隣にナースコール子機が設置されていない場所で患者のみならず病院等の施設利用者の体調が突然悪化した場合には、在室看護師や巡回看護師を迅速に呼び出すことができない難点があった。
【０００６】
本発明は、上述の難点を解消するためになされたもので、病室の内外を問わずして患者に携帯通話を携行させることにより、迅速な呼び出し、通話を可能とするとともに、当該システムの配線を簡素化させて施工性を高めたナースコールシステムを提供することを目的としている。
【課題を解決するための手段】
【０００７】
上述の目的を達成するため、本発明のナースコールシステムは、ナースステーション内に設置されるナースコール親機と、患者が携行し看護師を呼び出すための携帯端末と、携帯端末からの携帯端末ＩＤを含む無線呼出信号を受信するための基地局と、基地局に接続され通話路を形成するための交換機とから構成されている。携帯端末の携帯端末ＩＤおよび携帯端末ＩＤに対応する患者情報を記憶するための患者情報記憶手段と、携帯端末から送信された携帯端末ＩＤを含む無線呼出信号と患者情報記憶手段に記憶された携帯端末ＩＤとを比較するためのＩＤ比較手段と、ＩＤ比較手段にて一致したとき携帯端末ＩＤに対応する患者情報および無線呼出信号を受信した基地局の基地局情報をナースコール親機へ送信するための送信手段とを備えている。ナースコール親機は、送信手段から送信された患者情報および基地局情報を表示するための表示手段を備えている。
【０００８】
また、本発明のナースコールシステムにおいて、交換機は、患者情報記憶手段と、ＩＤ比較手段と、送信手段とを有している。
【発明の効果】
【０００９】
本発明のナースコールシステムによれば、病室の内外を問わずして患者により携行される携帯端末との間で無線通信が可能な基地局を交換機を介してナースコール親機に有線接続することにより、患者のみならず病院等の施設利用者の体調が突然悪化した場合においてもナースステーション内に在室中の看護師を迅速に呼び出して通話を成立させることができるばかりでなく、病床数が多い大規模な病院等においても施工時の配線を簡素化できる。
【００１０】
また、本発明のナースコールシステムによれば、病室の内外を問わずして患者により携行される携帯端末との間で無線通信が可能な基地局およびナースコール親機へと有線接続される交換機に、患者情報記憶手段、ＩＤ比較手段、送信手段を備えることにより、送信手段から送信された呼出元の患者に関する患者情報および呼出元の携帯端末からの無線呼出信号を受信した当該基地局を示す基地局情報をナースコール親機の表示手段に表示させることができる。
【発明を実施するための最良の形態】
【００１１】
以下、本発明のナースコールシステムを適用した最良の実施の形態例について、図面を参照して説明する。
【００１２】
図１は、本発明の実施例によるナースコールシステムを示すシステム構成図である。
【００１３】
図１のシステム構成図に示すナースコールシステムは、病院等の施設内、ここでは、病院内において、ナースステーション内に設置されており、患者からの呼出種別毎で異なる呼び出し、例えば、通常のナースコール呼び出し、緊急を要する緊急呼び出し、トイレ呼び出し等があることを報知するための呼出報知機能、この呼出報知を確認した看護師（以下、従来例と同様に在室看護師という。）が応答して通話を成立させるための機能を備えたナースコール親機１と、病室の内外を問わずして患者により携行され、この患者が在室看護師や後述する携帯端末３ａ、３ｂ、・・・を携行しながら病院内を巡回中の看護師や医師等（以下、従来例と同様に巡回看護師という。）のうち、自己を担当するチームに対応した当該巡回看護師を呼び出し、最先に応答した看護師との間で通話を成立させるための呼出・通話機能を備えており、個別の携帯端末ＩＤ（詳述せず）を有する携帯端末（以下、患者用携帯端末という。）２ａ、２ｂ、・・・と、巡回看護師により携行され、患者用携帯端末２ａ、２ｂ、・・・を携行している患者のうち担当の患者からの上述の呼出種別毎で異なる呼び出しを報知するための呼出報知機能、この呼出報知を確認した巡回看護師が応答して通話を成立させるための機能を備えており、個別の携帯端末ＩＤ（詳述せず）を有する携帯端末（以下、巡回看護師用携帯端末という。）３ａ、３ｂ、・・・と、病室の出入口やフロアの共用部等、病院内の異なる場所に設置されており、患者用携帯端末２ａ、２ｂ、・・・および巡回看護師用携帯端末３ａ、３ｂ、・・・との間で無線による信号の送受信機能を備え、当該患者用携帯端末からの携帯端末ＩＤを含む無線呼出信号を受信するとともに、通話を成立させるための音声信号を送受信するための基地局４ａ、４ｂ、・・・と、親機ラインＬ1を介して接続されたナースコール親機１および基地局ラインＬ2a、Ｌ2b、・・・を介して接続された基地局４ａ、４ｂ、・・・のうち何れかの当該基地局ラインを介して何れかの当該基地局の間の信号伝送路、例えば、通話路を形成するためのデジタル方式の交換機５とから構成されている。
【００１４】
また、交換機５は、患者用携帯端末２ａ、２ｂ、・・・が有する個別の携帯端末ＩＤおよび当該携帯端末ＩＤに対応した患者情報を記憶するための患者情報記憶手段５０と、患者により呼出種別毎で所定の呼出操作が行われた患者用携帯端末２ａ、２ｂ、・・・から送信され、基地局４ａ、４ｂ、・・・のうち何れかの当該基地局、基地局ラインＬ2a、Ｌ2b、・・・のうち何れかの当該基地局ラインを介して伝送されてくる携帯端末ＩＤを含む無線呼出信号と患者情報記憶手段５０に記憶されている（複数の）携帯端末ＩＤとを比較するためのＩＤ比較手段５１と、ＩＤ比較手段５１にて一致が検出された携帯端末ＩＤに対応する患者情報、上述の無線呼出信号を受信した何れかの当該基地局の基地局情報、および呼出種別を示す呼出種別情報を信号処理し、親機ラインＬ1を介してナースコール親機１へと送信するための送信手段（以下、親機側送信手段という。）５２と、呼出元の患者用携帯端末２ａ、２ｂ、・・・が有する携帯端末ＩＤに対応した患者情報をもとに、呼出先であるチーム毎の巡回看護師用携帯端末３ａ、３ｂ、・・・が有する個別の携帯端末ＩＤを特定するためのチーム／端末特定手段５３と、チーム／端末特定手段５３にて特定された携帯端末ＩＤ、上述の患者情報、基地局情報および呼出種別情報を信号処理し、基地局ラインＬ2a、Ｌ2b、・・・を介して基地局４ａ、４ｂ、・・・へとそれぞれ送信するための送信手段（以下、基地局側送信手段という。）５４とを備えている。
【００１５】
さらに、ナースコール親機１は、交換機５の親機側送信手段５２から送信され親機ラインＬ1を介して伝送されてくる有線呼出信号に含まれた患者情報、基地局情報および呼出種別情報をもとに、患者用携帯端末２ａ、２ｂ、・・・のうち何れかの当該患者用携帯端末からの呼び出しがあることを呼出種別毎、異なるパターンの呼出音（音声メッセージを含む）を放音させて報知するためのスピーカ等の放音手段１０と、呼出元の当該患者用携帯端末を携行している患者に関する患者情報、呼出元の当該患者用携帯端末からの無線呼出信号を受信した当該基地局を示す基地局情報、および上述の呼出種別情報を表示するためのＬＣＤ（Liquid Crystal Display）等の表示手段１１と、患者用携帯端末２ａ、２ｂ、・・・のうち何れかの当該患者用携帯端末からの呼び出しを確認した在室看護師が呼出元の患者との間で通話を成立させるための音声を送受信するハンドセット等の通話手段１２とを備えている。
【００１６】
このように構成された本発明の実施例によるナースコールシステムにおいて、以下、具体的な動作について説明する。
【００１７】
病室の内外を問わずして患者が携行している患者用携帯端末２ａ、２ｂ、・・・のうち、ここでは、患者用携帯端末２ａを携行している患者が当該患者用携帯端末の呼出機能（詳述せず）を能動にして呼出種別毎で異なる呼出操作を行うと、患者用携帯端末２ａが有する個別の携帯端末ＩＤと呼出種別情報とを含む無線呼出信号Ｓ1aが送信される。この無線呼出信号Ｓ1aは、基地局４ａ、４ｂ、・・・のうち当該無線呼出信号を受信可能なエリアに設置されている何れかの当該基地局にて受信される。ここでは、基地局４ａにて受信されるものとする。
【００１８】
基地局４ａは、患者用携帯端末２ａからの無線呼出信号Ｓ1aを有線呼出信号Ｓ1a'（図示せず）へと信号処理し、この有線呼出信号Ｓ1a'に自基地局の基地局情報、例えば、個別の基地局番号を付加させた有線呼出信号Ｓ2aを基地局ラインＬ2aを介して交換機５へと送信する。
【００１９】
交換機５において、ＩＤ比較手段５１は、基地局４ａからの有線呼出信号Ｓ2aに含まれている携帯端末ＩＤと患者情報記憶手段５０に記憶されている（複数の）携帯端末ＩＤとをを比較し、一致が検出された携帯端末ＩＤに対応する患者情報、すなわち、患者用携帯端末２ａを携行している患者に関する患者情報を当該患者情報記憶手段から読み出す。また、親機側送信手段５２は、患者情報記憶手段５０から読み出された患者情報と上述の基地局情報および呼出種別情報とを含む有線呼出信号Ｓ3aを親機ラインＬ1を介してナースコール親機１へと送信する。また、チーム／端末特定手段５３は、患者情報記憶手段５０から読み出された患者情報に対応して記憶されているチーム毎の携帯端末ＩＤ、ここでは、巡回看護師用携帯端末３ａを特定するための携帯端末ＩＤと上述の患者情報、基地局情報および呼出種別情報とを含む有線呼出信号Ｓ4aを基地局側送信手段５４から基地局ラインＬ2a、Ｌ2b、・・・へとそれぞれ送信する。
【００２０】
ナースコール親機１は、交換機５の親機側送信手段５２からの有線呼出信号Ｓ3aを受信し、当該有線呼出信号に含まれている患者情報、基地局情報および呼出種別情報をもとに、患者用携帯端末２ａを携行している患者からの呼び出しがあることを示す呼出種別毎で異なるパターンの呼出音（音声メッセージを含む）を放音手段１０から放音させるばかりでなく、患者用携帯端末２ａを携行している患者に関する患者情報および呼出種別情報と呼出元の患者が基地局４ａの周囲近傍に居る旨の基地局情報とを表示手段１１に表示させて呼出報知を行う。
【００２１】
基地局４ａ、４ｂ、・・・は、それぞれ交換機５の基地局側送信手段５４からの有線呼出信号Ｓ4aを受信し、当該有線呼出信号を信号処理させた無線呼出信号Ｓ4a'を送信（無線送信）する。
【００２２】
患者用携帯端末２ａ、２ｂ、・・・および巡回看護師用携帯端末３ａ、３ｂ、・・・は、それぞれ基地局４ａ、４ｂ、・・・のうち受信可能なエリアに設置されている当該基地局からの無線呼出信号Ｓ4a'を受信し、当該無線呼出信号に含まれている携帯端末ＩＤと自端末が有する個別の携帯端末ＩＤとを比較して一致した場合にのみ同様に含まれている患者情報、基地局情報および呼出種別情報をもとに、患者用携帯端末２ａを携行している患者からの呼び出しがあることを示す呼出種別毎で異なるパターンの呼出音（音声メッセージを含む）を放音するとともに、患者用携帯端末２ａを携行している患者に関する患者情報および呼出種別情報と呼出元の患者が基地局４ａの周囲近傍に居る旨の基地局情報とを表示させて呼出報知を行う。ここでは、患者用携帯端末２ａを携行している患者を担当するチームに対応した巡回看護師により携行された巡回看護師用携帯端末３ａのみ上述の呼出報知が行われる。
【００２３】
また、上述の呼出報知を確認した在室看護師および巡回看護師用携帯端末３ａを携行している巡回看護師のうち最先に応答した看護師は、呼出元である患者用携帯端末２ａを携行している患者との間で通話を成立させることができる（詳述せず）。
【００２４】
なお、本発明の実施例によれば、病室の内外を問わずして患者が携行している患者用携帯端末２ａ、２ｂ、・・・からの呼出種別毎で異なる呼び出しを、ナースステーション内に設置されたナースコール親機１のみならず、巡回看護師用携帯端末３ａ、３ｂ、・・・のうち呼出元の患者を担当するチームに対応した巡回看護師により携行されている当該巡回看護師用携帯端末にて呼出報知を行ったが、巡回看護師用携帯端末３ａ、３ｂ、・・・が巡回看護師により携行されていない当該システムも適用でき、この場合、上述の呼出報知はナースコール親機１のみで行われる。
【図面の簡単な説明】
【００２５】
【図１】本発明の実施例によるナースコールシステムを示すシステム構成図。
【符号の説明】
【００２６】
１……ナースコール親機
１１……表示手段
２ａ、２ｂ、・・・……患者用携帯端末（携帯端末）
４ａ、４ｂ、・・・……基地局
５……交換機
５０……患者情報記憶手段
５１……ＩＤ比較手段
５２……親機側送信手段（送信手段）
【図１】
2005210173.tif 000003